(57)【要約】      （修正有）【課題】外壁面と竪樋との設置間隔の調整を可能とし、竪樋の取付け作業を容易かつ短時間で行い、取り外しの際は、竪樋への傷付きを防止する竪樋用取付具を提供する。【解決手段】外壁面５に固定される固定部材２、竪樋６を保持する支持部材３、固定部材と支持部材を挟持するストッパー部材４を備えた竪樋用取付具１であって、固定部材は、固定部２０と左右の側面部２１を有し、固定部に取付固定用のねじ留め孔２２を備え、側面部に凹凸部２５が設けられる。支持部材は左右に二分割され、各々が対向する内面側に固定部材側面部の凹凸部と嵌合する凹凸嵌合部３０、各々の同一方向の端部に竪樋を保持する竪樋保持部３２が設けられる。ストッパー部材は、支持部材が固定部材を挟み込んだ状態で、支持部材及び固定部材を外側から挟持する挟持部４１が設けられ、固定部材の凹凸部と支持部材の凹凸嵌合部の嵌合位置の選択により外壁面と竪樋との間隔を調整可能とする。【選択図】図１
2017160618.tif 000002
【特許請求の範囲】
【請求項１】
建物の外壁面に固定される固定部材と、竪樋を保持する支持部材と、前記固定部材と前記支持部材を挟持するストッパー部材を備えた竪樋用取付具であって、
前記固定部材は、外壁面に取付固定される固定部と該固定部の左右に配置された側面部とを有し、前記固定部には取付固定用のねじ留め孔を備え、前記左右の側面部には凹凸部が設けられ、
前記支持部材は左右に二分割されており、各々が対向する内面側には、前記固定部材の側面部に設けられた凹凸部と嵌合する凹凸嵌合部とともに、二分割された各々の同一方向の端部には、前記竪樋を保持するための竪樋保持部が設けられ、
前記ストッパー部材には、前記支持部材が前記固定部材を挟み込んだ状態で、前記支持部材及び前記固定部材を外側から挟持する挟持部が設けられ、
前記固定部材の前記凹凸部と前記支持部材の前記凹凸嵌合部の嵌合位置の選択により、前記外壁面と前記竪樋との間隔を調整可能とすることを特徴とする竪樋用取付具。
【請求項２】
前記支持部材に設けられた竪樋保持部が、竪樋の外壁面側に設けられた突起部を左右から挟み込んで嵌合させる形状に形成され、
前記竪樋を前記外壁部に取付けた状態から、前記ストッパー部材を取り外し、前記支持部材を左右に分離するすことにより、竪樋の保持の解除を可能としたことを特徴とする請求項１に記載の竪樋用取付具。
【請求項３】
前記支持部材の外面側には、爪部が設けられ、前記ストッパー部材の挟持部には、前記爪部と嵌合するスリット状嵌合部が設けられ、
前記爪部と前記スリット状嵌合部の嵌合により、前記ストッパー部材が前記支持部材を挟持固定することを特徴とする請求項１又は２に記載の竪樋用取付具。
【発明の詳細な説明】
【技術分野】
【０００１】
本発明は、竪樋用取付具に関する。
【背景技術】
【０００２】
従来より、竪樋を建物の外壁面に沿って支持固定するために竪樋用取付具が用いられている。この竪樋用取付具としては、通常、外壁面に固定する固定部とその前方に設けられた竪樋を保持する竪樋保持部が一体に形成された構造のものが用いられる。
【０００３】
このような従来の竪樋用取付具を建物の外壁面に固定する方法は、釘状の固定部を外壁面へ打ち込む方法や、Ｌ字状又はＴ字状の固定部に設けられたねじ留め孔を介して、ねじ等で固定する方法が一般的である。
【０００４】
この建物の外壁面に対する竪樋の取付け施工において、建物の外壁面と竪樋との間隔は、建物の設計等により決定され、この間隔は、施工する建物によって異なるのが一般的である。
【０００５】
また、建物の外壁面には、建物の構造やデザイン等に伴う凹凸がある場合が多く、竪樋の取付施工においては、竪樋用取付具の取付位置によって、建物の外壁面と竪樋の部分的な間隔調整が必要な場合もある。
【０００６】
そのため、上記の竪樋用取付具の外壁面への固定方法のうち、釘状の固定部による固定では、外壁面と竪樋との間隔を外壁面への打ち込み量で調整している。しかしながら、一度打ち込んだ釘状の固定部は打ち込み深さの微調整が効きづらいため、打ち込み施工に熟練を要するという問題があった。
【０００７】
また、Ｌ字状又はＴ字状の固定部による固定では、ねじで固定できるため施工は容易であるが、外壁面と竪樋の間隔の調整ができないため、建物の設計に応じた外壁面と竪樋の間隔に対応する複数の寸法の竪樋等取付具を用意する必要があった。
【０００８】
一方、通常の竪樋用取付具は、竪樋を保持する把持部と、外壁面に固定する固定部を有し、把持部は竪樋を外周を包み込んで保持する方法が一般的である。しかしながら、この構成の竪樋用取付具によれば、把持部が竪樋の外周上に表出し、どの方向からも把持部が見えるため、外観上好ましくないとの指摘があった。
【０００９】
このような問題に対し、近年、竪樋の保持に対して様々な構造のものが提案され、提供されている。このような提案としては、例えば、竪樋の外周上に突起状の取付け部を設けるとともに、竪樋用取付具に左右の係止爪を設け、竪樋の取付部を係止爪で左右から挟着するタイプの竪樋用取付具が提案されている（例えば、特許文献１を参照）。この提案の竪樋用取付具では、左右の係止爪は一体に形成されており、竪樋の保持強度を維持するために強固に設計されているとしている。
【先行技術文献】
【特許文献】
【００１０】
【特許文献１】特開平６−２０７４５２号公報
【発明の概要】
【発明が解決しようとする課題】
【００１１】
このような、上記特許文献１に記載の竪樋用取付具による竪樋の取付施工においては、一旦竪樋の取付部と竪樋用取付具の係止爪を係合させると、弾性変形によって外れることがない。そのため、例えば、メンテナンス等のために竪樋を取り外す場合には、工具等を用いて無理に外すしか方法がなく、作業性の悪さや竪樋の傷つきが問題となっていた。
【００１２】
本発明は、上記従来の問題点に鑑みてなされたものであり、外壁面と竪樋との設置間隔の調整を可能とし、竪樋の取付け作業を容易かつ短時間で行うことができ、取り外しの際には竪樋の傷付きを防止することができる竪樋用取付具を提供することを課題とする。
【課題を解決するための手段】
【００１３】
本発明は、上記の課題を解決するために、以下のことを特徴としている。
【００１４】
すなわち、本発明の竪樋用取付具は、建物の外壁面に固定される固定部材と、竪樋を保持する支持部材と、前記固定部材と前記支持部材を挟持するストッパー部材を備えた竪樋用取付具であって、前記固定部材は、外壁面に取付固定される固定部と該固定部の左右に配置された側面部とを有し、前記固定部には取付固定用のねじ留め孔を備え、前記左右の側面部には凹凸部が設けられ、前記支持部材は左右に二分割されており、各々が対向する内面側には、前記固定部材の側面部に設けられた凹凸部と嵌合する凹凸嵌合部とともに、二分割された各々の同一方向の端部には、前記竪樋を保持するための竪樋保持部が設けられ、前記ストッパー部材には、前記支持部材が前記固定部材を挟み込んだ状態で、前記支持部材及び前記固定部材を外側から挟持する挟持部が設けられ、前記固定部材の前記凹凸部と前記支持部材の前記凹凸嵌合部の嵌合位置の選択により、前記外壁面と前記竪樋との間隔を調整可能とする。
【発明の効果】
【００１５】
本発明によれば、外壁面と竪樋との設置間隔の調整を可能とし、竪樋の取付け作業を容易かつ短時間で行うことができ、取り外しの際には竪樋の傷付きを防止することができる竪樋用取付具を提供することができる。
【図面の簡単な説明】
【００１６】
【図１】本発明の竪樋用取付具の一実施形態を示した概略分解斜視図である。
【図２】本発明の竪樋用取付具を組んだ状態の一実施形態を示した概略斜視図である。
【図３】固定部材と支持部材の嵌合状態を示した概略断面図であり、（Ａ）は間隔を大きくした嵌合状態を示し、（Ｂ）は間隔を小さくした嵌合状態を示している。
【図４】支持部材の竪樋保持部と竪樋の突起部との保持の説明図であり、（Ａ）は概略斜視図であり、（Ｂ）は概略断面図である。
【図５】支持部材の竪樋保持部と竪樋の突起部との保持の他の実施形態の説明図であり、（Ａ）は概略斜視図であり、（Ｂ）は概略断面図である。
【図６】固定部材と支持部材をストッパー部材により挟持した状態の断面図である。
【図７】把持部材に突起部を取り付けた把持部材に竪樋を把持させた状態を示す斜視図である。
【発明を実施するための形態】
【００１７】
本発明の竪樋用取付具について、図面に基づいて以下に詳述する。図１は、本発明の竪樋用取付具の一実施形態を示した概略分解斜視図であり、図２は、本発明の竪樋用取付具を組んだ状態の一実施形態を示した概略斜視図である。
【００１８】
図１、図２に示すように、竪樋用取付具１は、建物の外壁面５に固定される固定部材２と、竪樋６を保持する支持部材３と、固定部材２と支持部材３を挟持するストッパー部材４を備えている。
【００１９】
固定部材２は、外壁面５に取付固定される固定部２０と該固定部２０の左右に配置された側面部２１とを有し、固定部２０には取付固定用のねじ留め孔２２を備え、左右の側面部２１には凹凸部２５が設けられている。また、支持部材３は左右に二分割されている。各々が対向する内面側には、固定部材２の側面部２１に設けられた凹凸部２５と嵌合する凹凸嵌合部３０とともに、二分割された各々の同一方向の端部には、竪樋６を保持するための竪樋保持部３２が設けられている。
【００２０】
また、ストッパー部材４には、支持部材３が固定部材２を挟み込んだ状態で、支持部材３及び固定部材２を外側から挟持する挟持部４１が設けられている。
【００２１】
そして、固定部材２の凹凸部２５と支持部材３の凹凸嵌合部の嵌合位置の選択により、外壁面５と竪樋６との間隔を調整可能としている。
【００２２】
固定部材２は、建物の外壁面５に固定されるとともに、支持部材３を嵌合させる部材であり、外壁面５に取付固定される固定部２０と該固定部２０の左右に配置された側面部２１とを有している。また、固定部材２には、ドライバーのビットが挿入可能な空間２３が設けられており、その後面の固定部２０に取付固定用のねじ留め孔２２が設けられている。
【００２３】
また、固定部材２の左右に配置された側面部２１には、長手方向に沿って凹凸部２５が形成されている。この凹凸部２５の凹凸の数は複数設けられていれば特に限定されるものではなく、外壁面５と竪樋６の間隔調整幅を考慮して適宜決定することができる。
【００２４】
支持部材３は、二分割され、各々を固定部材２の両側に配置して挟み込み、外壁面５と竪樋６の間隔を決定するとともに、竪樋６を保持するための竪樋保持部３２を備えた部材である。左右に二分割した支持部材３の各々が対向する内面側には、固定部材２の側面部２１に設けられた凹凸部２５と嵌合する凹凸嵌合部３０が設けられている。そして、固定部材２の凹凸部２５と支持部材３の凹凸嵌合部３０の嵌合位置の選択により、外壁面５と竪樋６との間隔を調整可能としている。
【００２５】
具体的には、図３（Ａ）に示すように、固定部材２の手前側の凹凸部２５と、支持部材３の凹凸嵌合部３０を嵌合させた嵌合位置の選択により、外壁面５と竪樋６との間隔を大きく決定することができる。また、図３（Ｂ）に示すように、外壁面５側の凹凸部２５と凹凸嵌合部３０を嵌合させた嵌合位置の選択により、外壁面５と竪樋６との間隔を小さく決定することができる。このように、固定部材２に対する支持部材３の挟持において、嵌合位置を適宜決定することにより、容易に外壁面５と竪樋６との間隔を設定することができる。
【００２６】
また、支持部材３の前方部には、竪樋６を保持するための竪樋保持部３２が設けられている。竪樋保持部３２の形状は、竪樋６の壁面側に形成された突起部と嵌合する形状に形成されている。
【００２７】
図４（Ａ）、（Ｂ）、図５（Ａ）、（Ｂ）に、支持部材３の竪樋保持部３２と竪樋６に設けられた突起部との嵌合の実施形態を示す。図４（Ａ）、図５（Ａ）は其々の概略斜視図であり、図４（Ｂ）、図５（Ｂ）は其々の概略断面図である
図４（Ａ）、（Ｂ）の実施形態は、竪樋６の壁面側の上下方向に延設された鉤状の突起部６１と嵌合して保持する支持部材３の竪樋保持部３２である。この実施形態では、鉤状の突起部６１の隙間に爪状の竪樋保持部３２が入り込み、左右から挟持して保持するようになっている。
【００２８】
また、図５（Ａ）、（Ｂ）の実施形態は、竪樋６の壁面側に設けられた、括れ６３を有する突起部６２と嵌合して保持する支持部材３の竪樋保持部３２である。この実施形態では、断面円形の括れ６３に対し、括れ６３の断面円形に相応した切り欠き部３３を設けた竪樋保持部３２が左右から嵌合して保持するようになっている。上記のいずれの実施形態においても、竪樋６に設けられた突起部６１、６２を竪樋保持部３２が左右から挟み込むことにより、確実かつ強固に竪樋６を保持することができる。
【００２９】
また、支持部材３の外面側には、ストッパー部材４の挟持部４１に設けられたスリット状嵌合部４２と嵌合する爪部３１が形成されている。
【００３０】
ストッパー部材４は、支持部材３が固定部材２を挟み込んだ状態で、支持部材３及び固定部材２を外側から包み込むように挟持する部材である。ストッパー部材４は、天板部４０とその両側から垂直下方に延びるように設けられた挟持部４１を有しており、固定部材２を挟み込んだ支持部材３に対して上方から嵌め込むことにより、挟持部４１が左右から挟持するようになっている。
【００３１】
また、挟持部４１には、支持部材３の外側面に形成された爪部３１と嵌合するスリット状嵌合部４２が設けられている。図６に、固定部材２を挟み込んだ支持部材３をストッパー部材４により挟持した状態の断面図を示す。図６は、竪樋用取付具１を前方から外壁面５方向に臨んだ断面図を示している。このように、支持部材３を挟持部４１で両側から挟持することにより、固定部材２と支持部材３の嵌合と、支持部材３による竪樋６の保持を確実にすることができる。
【００３２】
固定部材２、支持部材３及びストッパー部材４の材質は、屋外での経年の使用においても変形や破損が生じないものであれば特に制限されるものではなく、例えば、金属や硬質の樹脂等によって形成することができる。また、ストッパー部材４の材質は、ストッパー部材４の取付け及び取り外し、即ち、爪部３１とスリット状嵌合部４２との嵌合及び解除を考慮して、多少撓みを生じさせることができる可撓性を有する材質とすることが好ましい。
【００３３】
以上の実施形態の竪樋用取付具１によって、外壁面５に沿って竪樋６を以下の手順により固定することができる。
【００３４】
竪樋６を設置する外壁面５に、その長さ方向の所定箇所毎に、複数の竪樋用取付具１を直列に設置する。竪樋用取付具１の設置では、まず、外壁面５に対して固定部材２をねじ２４等により固定設置する。
【００３５】
次に、固定部材２の側面を分割した支持部材３で左右から挟み込むと同時に、竪樋６に設けられた突起部を支持部材３の竪樋保持部３２で挟み込むように保持する。この際、外壁面５と竪樋６の間隔を考慮して、固定部材２の凹凸部２５と、支持部材３の凹凸嵌合部３０の嵌合位置を決定して嵌合させる。
【００３６】
次に、この状態で、固定部材２及び支持部材３の上方からストッパー部材４をスライドさせて嵌め合わせ、支持部材３の爪部３１とストッパー部材４の挟持部４１のスリット状嵌合部４２とを嵌合させる。これにより、外壁面５に対して竪樋６を固定することができる。
【００３７】
このように、本実施形態の竪樋用取付具１によれば、外壁面５と竪樋６との設置間隔を自在に調整可能とし、竪樋６の取付け作業を容易かつ短時間で行うことができる。
【００３８】
なお、竪樋６の取り換えやメンテナンス等のために竪樋６を外す場合には、ストッパー部材４の挟持部４１を左右に広げて、支持部材３の爪部と挟持部４１のスリット状嵌合部との嵌合を解除した状態で、上方にスライドさせてストッパー部材４を取り外す。そして、支持部材３を左右に分割して取り外すことにより、支持部材３の竪樋保持部３２による竪樋６の保持が解除され、竪樋６を容易に取り外すことができる。
【００３９】
このような本実施形態の竪樋用取付具１の取り外しでは、竪樋６や竪樋保持部３２に対して直接外部から大きな力を加えることなく竪樋６の取り外しができるので、竪樋６への傷付きを防止することができる。
【００４０】
以上、本発明の竪樋用取付具１を一実施形態に基づいて説明したが、本発明は上記の実施形態に限定されるものではなく、その要旨を逸脱しない範囲内において種々の変形、変更が可能である。
【００４１】
例えば、上記実施形態の竪樋用取付具１では、竪樋保持部３２に直接竪樋６の突起部６１、６２を嵌合させて保持させているが、竪樋の把持部材をアタッチメントとし、把持部材に竪樋６を把持させた状態で竪樋保持部３２に取付けることができる。
【００４２】
具体的には、図７に示すように、半円形状の金属板をヒンジにより開閉可能とし、留め具等で把持できる把持部材７に突起部７１を設け、突起部７１を竪樋保持部３２により挟持させて竪樋６を取り付けることができる。また、種々の竪樋６の形状に対応する取り付け又は把持構造をアタッチメントとして竪樋保持部３２に接続できるようにすることもできる。
【００４３】
また、上記実施形態では、支持部材３の外側面の爪部３１と、挟持部４１のスリット状嵌合部４２とを嵌合させて挟持したが、支持部材３の外側面にスリット状嵌合部を設け、挟持部４１の内側に爪部を設けて嵌合さて挟持させることもできる。
【符号の説明】
【００４４】
１  竪樋用取付具
２  固定部材
２０  固定部
２１  側面部
２２  ねじ留め孔
２５  凹凸部
３  支持部材
３０  凹凸嵌合部
３１  爪部
３２  竪樋保持部
４  ストッパー部材
４１  挟持部
４２  スリット状嵌合部
５  外壁面
６  竪樋
【図１】
2017160618.tif 000003
【図２】
2017160618.tif 000004
【図３】
2017160618.tif 000005
【図４】
2017160618.tif 000006
【図５】
2017160618.tif 000007
【図６】
2017160618.tif 000008
【図７】
2017160618.tif 000009